【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
スキャナ機能、印刷機能、あるいはファクシミリ機能のうち、少なくとも１以上の機能を備える機器とネットワークを介して接続し、該機器を利用するユーザの認証処理を行う認証制御装置であって、
ユーザを識別するユーザ識別情報毎に、該ユーザ識別情報とは異なる識別情報を関連付けて記憶する記憶手段と、
記憶媒体に記憶された該記憶媒体を識別する記憶媒体識別情報を受信する受信手段と、
前記記憶手段に記憶されている識別情報のうち、前記受信手段で受信した記憶媒体識別情報と一致する識別情報に関連付くユーザ識別情報を特定するユーザ識別情報特定手段と、
前記ユーザ識別情報特定手段により特定したユーザ識別情報の認証処理を行う認証制御手段と
を備えることを特徴とする認証制御装置。
【請求項２】
スキャナ機能、印刷機能、あるいはファクシミリ機能のうち、少なくとも１以上の機能を備える機器とネットワークを介して接続し、該機器を利用するユーザの認証処理を行う認証制御装置であって、
記憶媒体に記憶された該記憶媒体を識別する記憶媒体識別情報を受信する受信手段と、
ユーザを識別するユーザ識別情報毎に該ユーザ識別情報とは異なる識別情報を関連付けて記憶する記憶手段を用いて、前記記憶手段に記憶されている識別情報のうち、前記受信手段で受信した記憶媒体識別情報と一致する識別情報に関連付くユーザ識別情報を特定するユーザ識別情報特定手段と、
前記ユーザ識別情報特定手段により特定したユーザ識別情報の認証処理を行う認証制御手段と
を備えることを特徴とする認証制御装置。
【請求項３】
前記記憶手段はさらに、前記ユーザ識別情報毎に、前記機器の機能の使用に関する機能情報を関連付けて記憶し、
前記認証制御手段によってユーザを認証した場合に、前記ユーザ識別情報に関連付く前記機能情報を特定する機能情報特定手段と
を備えることを特徴とする請求項１又は２に記載の認証制御装置。
【請求項４】
前記記憶手段はさらに、前記ユーザ識別情報毎に、前記機器の機能の使用に関する機能情報を関連付けて記憶し、
前記認証制御手段によってユーザを認証した場合に、前記ユーザ識別情報に関連付く前記機能情報を特定し、当該機能情報に基づく機能使用の操作画面を表示部に表示させる表示制御手段と
を備えることを特徴とする請求項１又は２に記載の認証制御装置。
【請求項５】
前記記憶媒体は、ＩＣカードまたは携帯端末であることを特徴とする請求項１乃至４のいずれか１項に記載の認証制御装置。
【請求項６】
スキャナ機能、印刷機能、あるいはファクシミリ機能のうち、少なくとも１以上の機能を備える機器とネットワークを介して接続する情報処理装置であって、
ユーザを識別するユーザ識別情報毎に、該ユーザ識別情報とは異なる識別情報および機器の機能の使用に関する機能情報を関連付けて記憶する記憶手段と、
記憶媒体に記憶された該記憶媒体を識別する記憶媒体識別情報を受信する受信手段と、
前記記憶手段に記憶されている識別情報のうち、前記受信手段で受信した記憶媒体識別情報と一致する識別情報を特定する識別情報特定手段と、
前記機能情報に基づいて前記ユーザに前記機器の機能を使用させるために、前記識別情報特定手段により特定した識別情報に関連付くユーザの前記機能情報を特定する機能情報特定手段と
を備えることを特徴とする情報処理装置。
【請求項７】
スキャナ機能、印刷機能、あるいはファクシミリ機能のうち、少なくとも１以上の機能を備える機器とネットワークを介して接続する情報処理装置であって、
記憶媒体に記憶された該記憶媒体を識別する記憶媒体識別情報を受信する受信手段と、
ユーザを識別するユーザ識別情報毎に該ユーザ識別情報とは異なる識別情報および機器の機能の使用に関する機能情報を関連付けて記憶する記憶手段を用いて、前記記憶手段に記憶されている識別情報のうち、前記受信手段で受信した記憶媒体識別情報と一致する識別情報を特定する識別情報特定手段と、
前記機能情報に基づいて前記ユーザに前記機器の機能を使用させるために、前記識別情報特定手段により特定した識別情報に関連付くユーザの前記機能情報を特定する機能情報特定手段と
を備えることを特徴とする情報処理装置。
【請求項８】
少なくとも印刷機能を備える機器とネットワークを介して接続する情報処理装置であって、
ユーザを識別するユーザ識別情報毎に、該ユーザ識別情報とは異なる識別情報を関連付けて記憶する第１の記憶手段と、
記憶媒体に記憶された該記憶媒体を識別する記憶媒体識別情報を受信する受信手段と、
前記第１の記憶手段に記憶されている識別情報のうち、前記受信手段で受信した記憶媒体識別情報と一致する識別情報に関連付くユーザ識別情報を特定するユーザ識別情報特定手段とを備え、
前記ユーザ識別情報特定手段により特定したユーザ識別情報によって、前記機器は、印刷データを前記ユーザ識別情報と関連付けて記憶する第２の記憶手段において記憶されている前記印刷データのうち、前記特定したユーザ識別情報と関連付く印刷データを受信して印刷を行うことを特徴とする情報処理装置。
【請求項９】
前記記憶媒体は、ＩＣカードまたは携帯端末であることを特徴とする請求項６乃至８の
いずれか１項に記載の情報処理装置。
【請求項１０】
スキャナ機能、印刷機能、あるいはファクシミリ機能のうち、少なくとも１以上の機能を備える装置であって、
ユーザを識別するユーザ識別情報毎に、該ユーザ識別情報とは異なる識別情報を関連付けて記憶する記憶手段と、
記憶媒体に記憶された該記憶媒体を識別する記憶媒体識別情報を受信する受信手段と、
前記記憶手段に記憶されている識別情報のうち、前記受信手段で受信した記憶媒体識別情報と一致する識別情報に関連付くユーザ識別情報を特定するユーザ識別情報特定手段と、
前記ユーザ識別情報特定手段により特定したユーザ識別情報の認証処理を行う認証制御手段と
を備えることを特徴とする装置。
【請求項１１】
スキャナ機能、印刷機能、あるいはファクシミリ機能のうち、少なくとも１以上の機能を備える装置であって、
記憶媒体に記憶された該記憶媒体を識別する記憶媒体識別情報を受信する受信手段と、
ユーザを識別するユーザ識別情報毎に該ユーザ識別情報とは異なる識別情報を関連付けて記憶する記憶手段を用いて、前記記憶手段に記憶されている識別情報のうち、前記受信手段で受信した記憶媒体識別情報と一致する識別情報に関連付くユーザ識別情報を特定するユーザ識別情報特定手段と、
前記ユーザ識別情報特定手段により特定したユーザ識別情報の認証処理を行う認証制御手段と
を備えることを特徴とする装置。
【請求項１２】
前記記憶手段はさらに、前記ユーザ識別情報毎に、前記装置の機能の使用に関する機能情報を関連付けて記憶し、前記ユーザ識別情報特定手段によって特定したユーザ識別情報に関連付く前記機能情報を特定する機能情報特定手段とを備えることを特徴とする請求項１０又は１１に記載の装置。
【請求項１３】
少なくとも印刷機能を備える前記装置であって、
印刷データを前記ユーザ識別情報と関連付けて記憶する印刷データ記憶手段から、前記ユーザ識別情報特定手段によって特定したユーザ識別情報と関連付く印刷データを取得する印刷データ取得手段を備えることを特徴とする請求項１０乃至１２のいずれか１項に記載の装置。
【請求項１４】
前記記憶媒体は、ＩＣカードまたは携帯端末であることを特徴とする請求項１０乃至１３のいずれか１項に記載の装置。
【請求項１５】
スキャナ機能、印刷機能、あるいはファクシミリ機能のうち、少なくとも１以上の機能を備える機器とネットワークを介して接続し、該機器を利用するユーザの認証処理を行う装置を、
記憶媒体に記憶された該記憶媒体を識別する記憶媒体識別情報を受信する受信手段、
ユーザを識別するユーザ識別情報毎に該ユーザ識別情報とは異なる識別情報を関連付けて記憶する記憶手段を用いて、前記記憶手段に記憶されている識別情報のうち、前記受信手段で受信した記憶媒体識別情報と一致する識別情報に関連付くユーザ識別情報を特定するユーザ識別情報特定手段、及び
前記ユーザ識別情報特定手段により特定したユーザ識別情報の認証処理を行う認証制御手段
として機能させることを特徴とする認証制御プログラム。
【請求項１６】
スキャナ機能、印刷機能、あるいはファクシミリ機能のうち、少なくとも１以上の機能を備える装置を、
記憶媒体に記憶された該記憶媒体を識別する記憶媒体識別情報を受信する受信手段、
ユーザを識別するユーザ識別情報毎に該ユーザ識別情報とは異なる識別情報を関連付けて記憶する記憶手段を用いて、前記記憶手段に記憶されている識別情報のうち、前記受信手段で受信した記憶媒体識別情報と一致する識別情報に関連付くユーザ識別情報を特定するユーザ識別情報特定手段、及び
前記ユーザ識別情報特定手段により特定したユーザ識別情報の認証処理を行う認証制御手段
として機能させることを特徴とする認証制御プログラム。
【請求項１７】
スキャナ機能、印刷機能、あるいはファクシミリ機能のうち、少なくとも１以上の機能を備える機器とネットワークを介して接続し、該機器を利用するユーザの認証処理を行う装置が実行する認証方法であって、
記憶媒体に記憶された該記憶媒体を識別する記憶媒体識別情報を受信する受信ステップ、
ユーザを識別するユーザ識別情報毎に該ユーザ識別情報とは異なる識別情報を関連付けて記憶する記憶手段を用いて、前記記憶手段に記憶されている識別情報のうち、前記受信ステップで受信した記憶媒体識別情報と一致する識別情報に関連付くユーザ識別情報を特定するユーザ識別情報特定ステップ、及び
前記ユーザ識別情報特定ステップにより特定したユーザ識別情報の認証処理を行う認証制御ステップ
を備えることを特徴とする認証方法。
【請求項１８】
スキャナ機能、印刷機能、あるいはファクシミリ機能のうち、少なくとも１以上の機能を備える装置が実行する認証方法であって、
記憶媒体に記憶された該記憶媒体を識別する記憶媒体識別情報を受信する受信ステップ、
ユーザを識別するユーザ識別情報毎に該ユーザ識別情報とは異なる識別情報を関連付けて記憶する記憶手段を用いて、前記記憶手段に記憶されている識別情報のうち、前記受信ステップで受信した記憶媒体識別情報と一致する識別情報に関連付くユーザ識別情報を特定するユーザ識別情報特定ステップ、及び
前記ユーザ識別情報特定ステップにより特定したユーザ識別情報の認証処理を行う認証制御ステップ
を備えることを特徴とする認証方法。
【手続補正２】
【補正対象書類名】明細書
【補正対象項目名】発明の名称
【補正方法】変更
【補正の内容】
【発明の名称】認証制御装置、情報処理装置、装置、認証制御プログラム及び認証方法
【手続補正３】
【補正対象書類名】明細書
【補正対象項目名】０００１
【補正方法】変更
【補正の内容】
【０００１】
本発明は、複合機等の処理装置における処理を行なう認証制御装置、情報処理装置、装置、認証制御プログラム及び認証方法に関する。
【手続補正４】
【補正対象書類名】明細書
【補正対象項目名】０００６
【補正方法】変更
【補正の内容】
【０００６】
本発明は、上述の課題に鑑みてなされ、その目的は、複合機において、より高いセキュリティを維持しながら効率的に処理を行なうことができる認証制御装置、情報処理装置、装置、認証制御プログラム及び認証方法を提供することにある。
【手続補正５】
【補正対象書類名】明細書
【補正対象項目名】０００７
【補正方法】変更
【補正の内容】
【０００７】
上記問題点を解決するために、本発明に係る認証制御装置は、スキャナ機能、印刷機能、あるいはファクシミリ機能のうち、少なくとも１以上の機能を備える機器とネットワークを介して接続し、該機器を利用するユーザの認証処理を行う認証制御装置であって、ユーザを識別するユーザ識別情報毎に、該ユーザ識別情報とは異なる識別情報を関連付けて記憶する記憶手段と、記憶媒体に記憶された該記憶媒体を識別する記憶媒体識別情報を受信する受信手段と、前記記憶手段に記憶されている識別情報のうち、前記受信手段で受信した記憶媒体識別情報と一致する識別情報に関連付くユーザ識別情報を特定するユーザ識別情報特定手段と、前記ユーザ識別情報特定手段により特定したユーザ識別情報の認証処理を行う認証制御手段とを備えることを要旨とする。
【手続補正６】
【補正対象書類名】明細書
【補正対象項目名】０００８
【補正方法】変更
【補正の内容】
【０００８】
本発明に係る認証制御装置は、スキャナ機能、印刷機能、あるいはファクシミリ機能のうち、少なくとも１以上の機能を備える機器とネットワークを介して接続し、該機器を利用するユーザの認証処理を行う認証制御装置であって、記憶媒体に記憶された該記憶媒体を識別する記憶媒体識別情報を受信する受信手段と、ユーザを識別するユーザ識別情報毎に該ユーザ識別情報とは異なる識別情報を関連付けて記憶する記憶手段を用いて、前記記憶手段に記憶されている識別情報のうち、前記受信手段で受信した記憶媒体識別情報と一致する識別情報に関連付くユーザ識別情報を特定するユーザ識別情報特定手段と、前記ユーザ識別情報特定手段により特定したユーザ識別情報の認証処理を行う認証制御手段とを備えることを要旨とする。
【手続補正７】
【補正対象書類名】明細書
【補正対象項目名】０００９
【補正方法】変更
【補正の内容】
【０００９】
本発明に係る情報処理装置は、スキャナ機能、印刷機能、あるいはファクシミリ機能のうち、少なくとも１以上の機能を備える機器とネットワークを介して接続する情報処理装置であって、ユーザを識別するユーザ識別情報毎に、該ユーザ識別情報とは異なる識別情報および機器の機能の使用に関する機能情報を関連付けて記憶する記憶手段と、記憶媒体に記憶された該記憶媒体を識別する記憶媒体識別情報を受信する受信手段と、前記記憶手段に記憶されている識別情報のうち、前記受信手段で受信した記憶媒体識別情報と一致する識別情報を特定する識別情報特定手段と、前記機能情報に基づいて前記ユーザに前記機器の機能を使用させるために、前記識別情報特定手段により特定した識別情報に関連付くユーザの前記機能情報を特定する機能情報特定手段とを備えることを要旨とする。
【手続補正８】
【補正対象書類名】明細書
【補正対象項目名】００１０
【補正方法】変更
【補正の内容】
【００１０】
本発明に係る情報処理装置は、スキャナ機能、印刷機能、あるいはファクシミリ機能のうち、少なくとも１以上の機能を備える機器とネットワークを介して接続する情報処理装置であって、記憶媒体に記憶された該記憶媒体を識別する記憶媒体識別情報を受信する受信手段と、ユーザを識別するユーザ識別情報毎に該ユーザ識別情報とは異なる識別情報および機器の機能の使用に関する機能情報を関連付けて記憶する記憶手段を用いて、前記記憶手段に記憶されている識別情報のうち、前記受信手段で受信した記憶媒体識別情報と一致する識別情報を特定する識別情報特定手段と、前記機能情報に基づいて前記ユーザに前記機器の機能を使用させるために、前記識別情報特定手段により特定した識別情報に関連付くユーザの前記機能情報を特定する機能情報特定手段とを備えることを要旨とする。
【手続補正９】
【補正対象書類名】明細書
【補正対象項目名】００１１
【補正方法】変更
【補正の内容】
【００１１】
本発明に係る情報処理装置は、少なくとも印刷機能を備える機器とネットワークを介して接続する情報処理装置であって、ユーザを識別するユーザ識別情報毎に、該ユーザ識別情報とは異なる識別情報を関連付けて記憶する第１の記憶手段と、記憶媒体に記憶された該記憶媒体を識別する記憶媒体識別情報を受信する受信手段と、前記第１の記憶手段に記憶されている識別情報のうち、前記受信手段で受信した記憶媒体識別情報と一致する識別情報に関連付くユーザ識別情報を特定するユーザ識別情報特定手段とを備え、前記ユーザ識別情報特定手段により特定したユーザ識別情報によって、前記機器は、印刷データを前記ユーザ識別情報と関連付けて記憶する第２の記憶手段において記憶されている前記印刷データのうち、前記特定したユーザ識別情報と関連付く印刷データを受信して印刷を行うことを要旨とする。
【手続補正１０】
【補正対象書類名】明細書
【補正対象項目名】００１２
【補正方法】変更
【補正の内容】
【００１２】
本発明に係る装置は、スキャナ機能、印刷機能、あるいはファクシミリ機能のうち、少なくとも１以上の機能を備える装置であって、ユーザを識別するユーザ識別情報毎に、該ユーザ識別情報とは異なる識別情報を関連付けて記憶する記憶手段と、記憶媒体に記憶された該記憶媒体を識別する記憶媒体識別情報を受信する受信手段と、前記記憶手段に記憶されている識別情報のうち、前記受信手段で受信した記憶媒体識別情報と一致する識別情報に関連付くユーザ識別情報を特定するユーザ識別情報特定手段と、前記ユーザ識別情報特定手段により特定したユーザ識別情報の認証処理を行う認証制御手段とを備えることを要旨とする。
本発明に係る装置は、スキャナ機能、印刷機能、あるいはファクシミリ機能のうち、少なくとも１以上の機能を備える装置であって、記憶媒体に記憶された該記憶媒体を識別する記憶媒体識別情報を受信する受信手段と、ユーザを識別するユーザ識別情報毎に該ユーザ識別情報とは異なる識別情報を関連付けて記憶する記憶手段を用いて、前記記憶手段に記憶されている識別情報のうち、前記受信手段で受信した記憶媒体識別情報と一致する識別情報に関連付くユーザ識別情報を特定するユーザ識別情報特定手段と、前記ユーザ識別情報特定手段により特定したユーザ識別情報の認証処理を行う認証制御手段とを備えることを要旨とする。
【手続補正１１】
【補正対象書類名】明細書
【補正対象項目名】００１３
【補正方法】変更
【補正の内容】
【００１３】
本発明に係る認証制御プログラムは、スキャナ機能、印刷機能、あるいはファクシミリ機能のうち、少なくとも１以上の機能を備える機器とネットワークを介して接続し、該機器を利用するユーザの認証処理を行う装置を、記憶媒体に記憶された該記憶媒体を識別する記憶媒体識別情報を受信する受信手段、ユーザを識別するユーザ識別情報毎に該ユーザ識別情報とは異なる識別情報を関連付けて記憶する記憶手段を用いて、前記記憶手段に記憶されている識別情報のうち、前記受信手段で受信した記憶媒体識別情報と一致する識別情報に関連付くユーザ識別情報を特定するユーザ識別情報特定手段、及び前記ユーザ識別情報特定手段により特定したユーザ識別情報の認証処理を行う認証制御手段として機能させることを要旨とする。
更に、本発明に係る認証制御プログラムは、スキャナ機能、印刷機能、あるいはファクシミリ機能のうち、少なくとも１以上の機能を備える装置を、記憶媒体に記憶された該記憶媒体を識別する記憶媒体識別情報を受信する受信手段、ユーザを識別するユーザ識別情報毎に該ユーザ識別情報とは異なる識別情報を関連付けて記憶する記憶手段を用いて、前記記憶手段に記憶されている識別情報のうち、前記受信手段で受信した記憶媒体識別情報と一致する識別情報に関連付くユーザ識別情報を特定するユーザ識別情報特定手段、及び前記ユーザ識別情報特定手段により特定したユーザ識別情報の認証処理を行う認証制御手段として機能させることを要旨とする。
【手続補正１２】
【補正対象書類名】明細書
【補正対象項目名】００１４
【補正方法】変更
【補正の内容】
【００１４】
本発明に係る認証方法は、スキャナ機能、印刷機能、あるいはファクシミリ機能のうち、少なくとも１以上の機能を備える機器とネットワークを介して接続し、該機器を利用す
るユーザの認証処理を行う装置が実行する認証方法であって、記憶媒体に記憶された該記憶媒体を識別する記憶媒体識別情報を受信する受信ステップ、ユーザを識別するユーザ識別情報毎に該ユーザ識別情報とは異なる識別情報を関連付けて記憶する記憶手段を用いて、前記記憶手段に記憶されている識別情報のうち、前記受信ステップで受信した記憶媒体識別情報と一致する識別情報に関連付くユーザ識別情報を特定するユーザ識別情報特定ステップ、及び前記ユーザ識別情報特定ステップにより特定したユーザ識別情報の認証処理を行う認証制御ステップを備えることを要旨とする。
本発明に係る認証方法は、スキャナ機能、印刷機能、あるいはファクシミリ機能のうち、少なくとも１以上の機能を備える装置が実行する認証方法であって、記憶媒体に記憶された該記憶媒体を識別する記憶媒体識別情報を受信する受信ステップ、ユーザを識別するユーザ識別情報毎に該ユーザ識別情報とは異なる識別情報を関連付けて記憶する記憶手段を用いて、前記記憶手段に記憶されている識別情報のうち、前記受信ステップで受信した記憶媒体識別情報と一致する識別情報に関連付くユーザ識別情報を特定するユーザ識別情報特定ステップ、及び前記ユーザ識別情報特定ステップにより特定したユーザ識別情報の認証処理を行う認証制御ステップを備えることを要旨とする。